(57)【特許請求の範囲】
【請求項１】
原稿が収容される原稿収容部と、
前記原稿収容部に収容された前記原稿を搬送路に沿って搬送する搬送機構と、
前記搬送機構によって前記搬送路を搬送された前記原稿が排出口から排出される原稿排出部と、
前記原稿排出部に排出された前記原稿を上方から押さえる複数の押さえ部本体と、
前記押さえ部本体の下端よりも前記原稿の排出方向下流側に頂部が来るように、前記原稿排出部に前記原稿の排出方向に沿って形成された突起部と、
を備え、
前記排出口の長手方向両端部における前記押さえ部本体の幅は、他の部位における前記押さえ部本体の幅よりも広いことを特徴とする原稿搬送装置。
【請求項２】
原稿が収容される原稿収容部と、
前記原稿収容部に収容された前記原稿を搬送路に沿って搬送する搬送機構と、
前記搬送機構によって前記搬送路を搬送された前記原稿が排出口から排出される原稿排出部と、
前記原稿排出部に排出された前記原稿を上方から押さえる複数の押さえ部本体と、
前記押さえ部本体の下端よりも前記原稿の排出方向下流側に頂部が来るように、前記原稿排出部に前記原稿の排出方向に沿って形成された突起部と、
を備え、
前記排出口の長手方向の端部で、かつ前記突起部の近傍に配置されていない前記押さえ部本体の幅は、前記排出口の長手方向において前記突起部の近傍に配置された前記押さえ部本体の幅よりも広いことを特徴とする原稿搬送装置。
【請求項３】
原稿が収容される原稿収容部と、
前記原稿収容部に収容された前記原稿を搬送路に沿って搬送する搬送機構と、
前記搬送機構によって前記搬送路を搬送された前記原稿が排出口から排出される原稿排出部と、
前記原稿排出部に排出された前記原稿を上方から押さえる複数の押さえ部本体と、
前記原稿排出部に前記原稿の排出方向に沿って形成された突起部と、
を備え、
前記押さえ部本体は、前記排出口の長手方向において前記突起部が存在しない前記原稿の端部及び前記突起部が存在する前記原稿の領域部分に接触するとともに、前記端部に接触する部位の幅が、前記領域部分に接触する部位の幅よりも広いことを特徴とする原稿搬送装置。
【請求項４】
前記突起部は、前記排出口の長手方向における前記原稿排出部の中央部に形成され、前記押さえ部本体は、前記排出口の長手方向における前記原稿の両端部に接触することを特徴とする請求項３に記載の原稿搬送装置。
【請求項５】
原稿が収容される原稿収容部と、
前記原稿収容部に収容された前記原稿を搬送路に沿って搬送する搬送機構と、
前記搬送機構によって前記搬送路を搬送された前記原稿が排出口から排出される原稿排出部と、
前記原稿排出部に排出された前記原稿を上方から押さえる複数の押さえ部本体と、
前記原稿排出部に前記原稿の排出方向に沿って形成された突起部と、
を備え、
前記突起部は、前記排出口の長手方向に複数並んで形成され、該突起部と前記押さえ部本体とは、前記排出口の長手方向において互いにずれて配置され、かつ、該突起部と前記押さえ部本体とは、前記原稿の排出方向においてもずれて配置されていることを特徴とする原稿搬送装置。
【請求項６】
請求項１〜請求項５の何れか１項に記載の原稿搬送装置と、
前記原稿搬送装置の搬送機構によって搬送された原稿の画像情報を読み取る原稿読取部と、
前記原稿読取部で読み取った画像情報に基づき、記録媒体に画像を形成する画像形成部と、
を有することを特徴とする画像形成装置。
【発明の詳細な説明】
【技術分野】
【０００１】
本発明は、原稿搬送装置及び画像形成装置に関する。
【背景技術】
【０００２】
原稿サイズに応じて排紙トレイのガイドの高さを変更できるようにした自動原稿搬送装置は、従来から知られている（例えば、特許文献１参照）。
【先行技術文献】
【特許文献】
【０００３】
【特許文献１】特開２０００−２３８９５５号公報
【発明の概要】
【発明が解決しようとする課題】
【０００４】
本発明は、原稿排出部に排出された原稿の収容性を向上できる原稿搬送装置及び画像形成装置を得ることを目的とする。
【課題を解決するための手段】
【０００５】
上記の目的を達成するために、本発明に係る請求項１に記載の原稿搬送装置は、原稿が収容される原稿収容部と、前記原稿収容部に収容された前記原稿を搬送路に沿って搬送する搬送機構と、前記搬送機構によって前記搬送路を搬送された前記原稿が排出口から排出される原稿排出部と、前記原稿排出部に排出された前記原稿を上方から押さえる複数の押さえ部本体と、前記押さえ部本体の下端よりも前記原稿の排出方向下流側に頂部が来るように、前記原稿排出部に前記原稿の排出方向に沿って形成された突起部と、を備え、前記排出口の長手方向両端部における前記押さえ部本体の幅は、他の部位における前記押さえ部本体の幅よりも広いことを特徴としている。
【０００６】
また、本発明に係る請求項２に記載の原稿搬送装置は、原稿が収容される原稿収容部と、前記原稿収容部に収容された前記原稿を搬送路に沿って搬送する搬送機構と、前記搬送機構によって前記搬送路を搬送された前記原稿が排出口から排出される原稿排出部と、前記原稿排出部に排出された前記原稿を上方から押さえる複数の押さえ部本体と、前記押さえ部本体の下端よりも前記原稿の排出方向下流側に頂部が来るように、前記原稿排出部に前記原稿の排出方向に沿って形成された突起部と、を備え、前記排出口の長手方向の端部で、かつ前記突起部の近傍に配置されていない前記押さえ部本体の幅は、前記排出口の長手方向において前記突起部の近傍に配置された前記押さえ部本体の幅よりも広いことを特徴としている。
【０００７】
また、本発明に係る請求項３に記載の原稿搬送装置は、原稿が収容される原稿収容部と、前記原稿収容部に収容された前記原稿を搬送路に沿って搬送する搬送機構と、前記搬送機構によって前記搬送路を搬送された前記原稿が排出口から排出される原稿排出部と、前記原稿排出部に排出された前記原稿を上方から押さえる複数の押さえ部本体と、前記原稿排出部に前記原稿の排出方向に沿って形成された突起部と、を備え、前記押さえ部本体は、前記排出口の長手方向において前記突起部が存在しない前記原稿の端部及び前記突起部が存在する前記原稿の領域部分に接触するとともに、前記端部に接触する部位の幅が、前記領域部分に接触する部位の幅よりも広いことを特徴としている。
【０００８】
また、請求項４に記載の原稿搬送装置は、請求項３に記載の原稿搬送装置であって、前記突起部は、前記排出口の長手方向における前記原稿排出部の中央部に形成され、前記押さえ部本体は、前記排出口の長手方向における前記原稿の両端部に接触することを特徴としている。
【０００９】
また、本発明に係る請求項５に記載の原稿搬送装置は、原稿が収容される原稿収容部と、前記原稿収容部に収容された前記原稿を搬送路に沿って搬送する搬送機構と、前記搬送機構によって前記搬送路を搬送された前記原稿が排出口から排出される原稿排出部と、前記原稿排出部に排出された前記原稿を上方から押さえる複数の押さえ部本体と、前記原稿排出部に前記原稿の排出方向に沿って形成された突起部と、を備え、前記突起部は、前記排出口の長手方向に複数並んで形成され、該突起部と前記押さえ部本体とは、前記排出口の長手方向において互いにずれて配置され、かつ、該突起部と前記押さえ部本体とは、前記原稿の排出方向においてもずれて配置されていることを特徴としている。
【００１１】
また、本発明に係る請求項６に記載の画像形成装置は、請求項１〜請求項５の何れか１項に記載の原稿搬送装置と、前記原稿搬送装置の搬送機構によって搬送された原稿の画像情報を読み取る原稿読取部と、前記原稿読取部で読み取った画像情報に基づき、記録媒体に画像を形成する画像形成部と、を有することを特徴としている。
【発明の効果】
【００１２】
請求項１に記載の発明によれば、排出口の長手方向両端部における押さえ部本体の幅が、他の部位における押さえ部本体の幅と同じか、それより小さい構成に比べて、排出された原稿の両端部を適切に押さえることができ、原稿排出部に排出された原稿の収容性を向上させることができる。
【００１３】
請求項２に記載の発明によれば、排出口の長手方向の端部で、かつ突起部の近傍に配置されていない押さえ部本体の幅が、排出口の長手方向において突起部の近傍に配置された押さえ部本体の幅と同じか、それより小さい構成に比べて、排出された原稿の端部を適切に押さえることができ、原稿排出部に排出された原稿の収容性を向上させることができる。
【００１４】
請求項３に記載の発明によれば、先に排出されている原稿の幅方向端部が上方に向かってカールし、後から排出された原稿の排出方向下流側端部が、そのカールされた幅方向端部に当たって、先に排出されている原稿を排出方向外側へ押し出すことを抑制することができ、原稿排出部に排出された原稿の収容性を向上させることができる。
【００１５】
請求項４に記載の発明によれば、先に排出されている原稿の幅方向両端部が上方に向かってカールし、後から排出された原稿の排出方向下流側端部が、そのカールされた幅方向両端部に当たって、先に排出されている原稿を排出方向外側へ押し出すことを抑制することができ、原稿排出部に排出された原稿の収容性を向上させることができる。
【００１６】
請求項５に記載の発明によれば、押さえ部本体と突起部とが、排出口の長手方向において、互いに一致している構成に比べて、原稿に折り目が付くのを抑制しつつ、原稿排出部に排出された原稿の収容性を向上させることができる。
【００１８】
請求項６に記載の発明によれば、請求項１〜請求項５の何れか１項に記載の原稿搬送装置を有しない構成に比べて、排出された原稿の取扱性を向上させることができる。
【図面の簡単な説明】
【００１９】
【図１】画像形成装置の構成を示す概略側面図
【図２】画像形成装置の構成を示す概略正面図
【図３】原稿搬送部の構成を示す概略断面図
【図４】原稿搬送部を示す概略斜視図
【図５】原稿収容台を取り除いて原稿排出台を示す概略斜視図
【図６】原稿収容部を取り除いて原稿排出台を示す概略側面図
【図７】原稿搬送部におけるマイラーを拡大して示す概略断面図
【図８】原稿搬送部におけるリブと原稿収容部におけるリブを示す概略断面図
【図９】原稿排出台に原稿が排出された状態を示す概略斜視図
【発明を実施するための形態】
【００２０】
以下、本発明に係る実施の形態について図面を基に詳細に説明する。なお、図１において、矢印ＵＰを画像形成装置１０の上方向とし、矢印ＦＲを画像形成装置１０の前方向とする。そして、図２において、矢印ＲＩを画像形成装置１０の右方向とし、原稿Ｇ（図９参照）の排出方向とする。また、本実施形態では、画像が形成される記録媒体の一例として記録用紙Ｐ（図１参照）を採用する。
【００２１】
図１、図２で示すように、画像形成装置１０は、原稿Ｇを搬送する原稿搬送装置の一例としての原稿搬送部４０と、原稿Ｇの画像情報を読み取る原稿読取部１２と、原稿読取部１２の下部に配置された本体部１４と、を有している。なお、原稿搬送部４０については、後で詳述する。
【００２２】
本体部１４は、原稿読取部１２で読み取られた画像情報に基づいて、記録用紙Ｐへ画像を形成するようになっており、下部に配設された給紙トレイ１６と、給紙トレイ１６の上部に配置されて画像を形成する画像形成部１８と、を有している。そして、この画像形成部１８は、露光装置２０と、画像形成ユニット２２と、を有している。
【００２３】
露光装置２０は、原稿読取部１２で読み取られた画像情報に基づいて、図示しない光源から出射された光ビームを回転多面鏡（ポリゴンミラー）で走査し、反射ミラー等の複数の光学部品で反射して光ビームを出射するようになっており、対応する感光体ドラムに導かれるようになっている。
【００２４】
画像形成ユニット２２は、図示しない感光体ドラム、帯電ロール、クリーナー、転写ロール、現像器などを含んで構成されており、画像形成ユニット２２の下方側に給紙トレイ１６が配設されている。そして、給紙トレイ１６の後方側で、かつ上方側には、記録用紙Ｐの先端部の位置を調整する一対のレジストロール２４が配設されている。
【００２５】
また、画像形成ユニット２２よりも記録用紙Ｐの搬送方向下流側には、定着装置２６が配設されている。定着装置２６は、加熱ロール２６Ａと加圧ロール２６Ｂとを有しており、記録用紙Ｐを加熱、加圧して記録用紙Ｐに転写されたトナー像を、その記録用紙Ｐに定着させるようになっている。
【００２６】
また、定着装置２６よりも記録用紙Ｐの搬送方向下流側における画像形成部１８の上部は、開閉可能なカバー部材２８で覆われるようになっており、定着装置２６よりも記録用紙Ｐの搬送方向下流側に設けられた排出口３２から、記録用紙Ｐが、そのカバー部材２８の上面２８Ａに排出されるようになっている。また、この本体部１４には、各部の動作を制御する制御部３０が設けられている。
【００２７】
本体部１４の上部には原稿読取部１２が配設されている。この原稿読取部１２の前面には、図４で詳細に示すように、操作者が原稿Ｇの画像情報の読み取り、或いは複写指示等を入力操作するための表示部３６や、テンキー及びスタートボタン等を含む操作部３８を備えた操作パネルユニット３４が配設されている。
【００２８】
また、原稿読取部１２の上部には、原稿読取部１２の開閉蓋を兼用する原稿搬送部４０が設けられている。図２〜図４で示すように、原稿搬送部４０は、画像情報が読み取られる原稿Ｇが（複数枚の場合は重ねて）収容される原稿収容部の一例としての原稿収容台４２と、原稿収容台４２上に収容された原稿Ｇを折り返し形状の搬送路４５に沿って搬送させる搬送機構４４と、原稿収容台４２の下方に配置され、搬送路４５を搬送されて来た原稿Ｇが排出される原稿排出部の一例としての原稿排出台４６と、を有している。
【００２９】
つまり、原稿収容台４２及び原稿排出台４６は、原稿搬送部４０の一方側（図２における右側）に集約されて配置されるようになっている。具体的には、原稿収容台４２及び原稿排出台４６は、原稿搬送部４０の一方側（図２における右側）において、上下に重なるように配設されており、原稿収容台４２と原稿排出台４６との上下方向における間隔は、比較的狭く（普通紙の原稿Ｇで約２０枚排出可能な程度に）形成されている。
【００３０】
なお、原稿収容台４２の送出方向下流側における上面４２Ｃの一部は、原稿Ｇの送出方向側へ下る下り勾配となる傾斜面に形成されており、原稿排出台４６の排出方向下流側における上面４６Ａの一部は、原稿Ｇの排出方向側へ上る上り勾配となる傾斜面に形成されている（図８参照）。
【００３１】
また、図２、図３で示すように、搬送機構４４は、外周部がゴム製とされ、原稿収容台４２に収容された原稿Ｇを１枚ずつピックアップするピックアップロール５０と、外周部がゴム製とされ、ピックアップロール５０によってピックアップされた原稿Ｇを送り出す送出ロール５２と、送出ロール５２によって送られた原稿ＧをＵターンさせて表裏反転させる反転ロール５４と、反転ロール５４によって表裏反転された原稿Ｇを原稿排出台４６上へ排出する一対の排出ロール５６と、を有している。
【００３２】
したがって、原稿Ｇは、原稿収容台４２に読み取り対象となる画像情報が記録された読取面を上向きにして置かれ、ピックアップロール５０及び送出ロール５２によって送出方向へ搬送されると、搬送路４５及び反転ロール５４によって表裏反転され、原稿読取部１２に、その読取面を対面させる。そして、その原稿読取部１２によって読取面に記録されている画像情報が読み取られると、一対の排出ロール５６によって排出口５８から排出され、原稿排出台４６に、その読取面を下向きにして排出される（置かれる）。
【００３３】
なお、原稿収容台４２には、原稿Ｇが収容されているか否かを検知する検知手段（図示省略）が設けられている。検知手段としては、例えば光反射型の光センサー等が用いられるが、他の構成のセンサーを用いてもよい。また、ピックアップロール５０及び送出ロール５２は、その外周面を露出させた状態で筐体４８に収容されており、ピックアップロール５０は、原稿収容台４２上の原稿Ｇに接触する接触位置（下方位置）と、その接触位置から退避する退避位置（上方位置）とを取るように、送出ロール５２に対して公転（回転移動）可能に構成されている。
【００３４】
すなわち、ピックアップロール５０を回転可能に支持しつつ収容する筐体４８は、送出ロール５２の回転軸５２Ａを支点として矢印Ａ方向（図３参照）に回転移動可能に支持されており、そのピックアップロール５０の回転軸５０Ａが回転可能に支持されている送出方向上流側の辺縁部４８Ａ（ピックアップロール５０）は、例えば引っ張りコイルバネ等の弾性部材（図示省略）の弾性力により、退避位置（上方）へ向かう方向に常時付勢されるようになっている。
【００３５】
そして、図示しない駆動源によって回転駆動される送出ロール５２の回転軸５２Ａの正方向（原稿Ｇの送出方向）への回転力により、筐体４８の辺縁部４８Ａが、弾性部材の弾性力（付勢力）に抗して下方へ回転移動し、その辺縁部４８Ａ側に回転可能に支持されているピックアップロール５０を接触位置へ回転移動させるようになっている。
【００３６】
なお、ピックアップロール５０の回転駆動力は、送出ロール５２から、図示しないギア等を介して伝達されるようになっている。また、ピックアップロール５０は、送出ロール５２とは独立した力を利用して、接触位置又は退避位置へ移動させるように構成してもよい。
【００３７】
また、図４〜図６で詳細に示すように、原稿排出台４６の上面４６Ａには、排出ロール５６の軸方向（排出口５８の長手方向）に予め決められた間隔で、突起部の一例としてのリブ６０が複数（図示のものは３個）突設（形成）されている。このリブ６０は、原稿排出台４６の上面４６Ａに排出方向に延在するように突設されているリブ４６Ｂの一部の高さを高くすることで一体に形成されており、排出された原稿Ｇを下方から支持するようになっている。なお、リブ６０の代わりに、原稿排出台４６の上面４６Ａを排出ロール５６の軸方向（排出口５８の長手方向）に沿って隆起させた突起部（図示省略）としてもよい。
【００３８】
また、各リブ６０は、排出ロール５６の軸方向（排出口５８の長手方向）から見て、原稿排出台４６の排出口５８から、その排出方向に向かう長さの１／２〜２／３の範囲内における傾斜された上面４６Ａ上、例えば図３で示すように、排出ロール５６の軸心からリブ６０の頂部までの距離Ｄ１が１８０ｍｍとなる傾斜された上面４６Ａ上に突設されている。なお、リブ６０の原稿排出台４６の上面４６Ａから頂部までの高さＨ１（図８参照）は、例えば約１０ｍｍとされている。また、原稿排出台４６に排出される原稿Ｇのサイズは、基本的に長手方向を排出方向として排出されるＡ４サイズである。
【００３９】
また、図５〜図７で示すように、排出口５８には、原稿排出台４６に排出された原稿Ｇを上方から押さえる（原稿Ｇが排出口５８から排出される排出途中のときにも上方から押さえて、原稿Ｇのばたつきを押さえる）押さえ部材の一例としてのマイラー６２が設けられている。
【００４０】
このマイラー６２は、排出ロール５６の軸方向（排出口５８の長手方向）に延在するように形成され、排出口５８の上部側に接着（貼付）により取り付けられる上端の一例としての取付部６２Ａと、その取付部６２Ａと一体に形成され、排出ロール５６の軸方向に予め決められた間隔で並んだ櫛歯状の押さえ部本体６２Ｂと、を有している。そして、その押さえ部本体６２Ｂの下端（自由端）は、原稿Ｇが無いときに、原稿排出台４６の上面４６Ａに接触するようになっている。
【００４１】
すなわち、このマイラー６２は、図７で示すように、その櫛歯状とされている押さえ部本体６２Ｂの長さＬ及びマイラー６２の取付部６２Ａから押さえ部本体６２Ｂの下端が接触する原稿排出台４６の上面４６Ａまでの排出方向（水平方向）における距離Ｄ２よりも、排出口５８付近における原稿排出台４６の上面４６Ａから取付部６２Ａまでの取付高さＨ２の方が低くなっている。
【００４２】
より具体的には、このマイラー６２の取付高さＨ２は約１７ｍｍとなっており、マイラー６２の取付部６２Ａから押さえ部本体６２Ｂの下端が接触する原稿排出台４６の上面４６Ａまでの排出方向における距離Ｄ２は約４０ｍｍとなっている。そして、このマイラー６２の押さえ部本体６２Ｂの鉛直方向に対する角度θは約７０度となっている。また、マイラー６２の厚さは約０．１ｍｍとなっており、その材質はＰＥＴ（ポリエチレンテレフタレート）である。
【００４３】
また、図６で示すように、櫛歯状とされているマイラー６２の押さえ部本体６２Ｂは、排出ロール５６の軸方向（マイラー６２の長手方向）両端部の幅Ｗ１が、それ以外の部位の幅Ｗ２よりも広くされている。これにより、原稿Ｇの幅方向（画像形成装置１０の前後方向）両端部の上方に向かうカールを、その幅広とされたマイラー６２の押さえ部本体６２Ｂで適切に押さえられる構成である。
【００４４】
また、原稿排出台４６上のリブ６０は、マイラー６２の押さえ部本体６２Ｂから原稿Ｇの排出方向に離隔した位置に突設されており、その押さえ部本体６２Ｂとリブ６０とは、図６で示すように、排出ロール５６の軸方向において、互いにオフセットされた（ずれた）位置に配置されている。これにより、排出口５８から排出された原稿Ｇに、マイラー６２の押さえ部本体６２Ｂとリブ６０とによって縦方向（排出方向に沿った方向）の折り目が付かないようにする構成である。
【００４５】
また、マイラー６２の櫛歯状とされた押さえ部本体６２Ｂの間における取付部６２Ａには、排出口５８から排出される原稿Ｇに接触し、その原稿Ｇを除電する複数の除電ブラシ６４が設けられている。また、図７で示すように、一対の排出ロール５６の外周面が互いに接触する接触部６６の原稿排出台４６の上面４６Ａからの高さＨ３は、例えば約１０ｍｍとされており、リブ６０の頂部の高さＨ１と同一とされている。
【００４６】
また、図８で示すように、原稿収容台４２の傾斜面よりも原稿Ｇの送出方向上流側（排出方向下流側）で原稿排出台４６と対向する下面４２Ａは、排出ロール５６の軸方向（排出口５８の長手方向）から見て、リブ６０によって支持された原稿Ｇの形状に略沿うように、原稿排出台４６へ向かって若干屈曲されている。そして、その下面４２Ａの送出方向上流側には、図４で示すように、排出ロール５６の軸方向に予め決められた間隔で、複数のリブ４２Ｂが並んで形成されている。
【００４７】
また、その下面４２Ａの送出方向上流側端部で、かつリブ４２Ｂ同士の間には、リブ４２Ｂよりも短尺なリブ４３が、排出ロール５６の軸方向に並んで形成されている。これら各リブ４２Ｂ、４３により、排出口５８から原稿排出台４６へ排出された原稿Ｇの幅方向両端部が上方に向かってカールしていても、その原稿Ｇの排出方向下流側端部が、原稿排出台４６の上面４６Ａへ案内される構成である。
【００４８】
以上のような構成の原稿搬送部４０を備えた画像形成装置１０において、次にその作用について説明する。まず、画像形成装置１０を操作する操作者は、原稿収容台４２に画像情報が記録された読取面を上にして原稿Ｇを収容させる。原稿収容台４２に原稿Ｇが収容されると、検知手段により原稿Ｇが「有り」と検知される。そして、操作者が、操作部３８を操作すると、原稿Ｇの画像情報の読み取り動作が開始される。
【００４９】
すなわち、送出ロール５２が駆動源によって回転駆動され、その回転駆動力により、筐体４８の辺縁部４８Ａが、送出ロール５２の回転軸５２Ａを中心に、弾性部材の付勢力に抗して、下方に回転移動し、ピックアップロール５０が、原稿収容台４２に収容された原稿Ｇに接触する接触位置に回転移動する。
【００５０】
また、このとき、ピックアップロール５０は、送出ロール５２から、図示しないギア等を介して回転駆動力が伝達されている。したがって、接触位置に回転移動し、原稿Ｇが複数枚のときには、その最上位の原稿Ｇに接触したピックアップロール５０は、その最上位の原稿Ｇを原稿収容台４２からピックアップし、送出ロール５２へ受け渡す。
【００５１】
ピックアップロール５０によって原稿収容台４２からピックアップされ、送出ロール５２によって送り出された原稿Ｇは、搬送機構４４によって搬送路４５を搬送され、反転ロール５４によって表裏反転され、原稿読取部１２によって、その読取面に記録された画像情報が読み取られる。
【００５２】
そして、原稿読取部１２によって、読取面に記録された画像情報が読み取られた原稿Ｇは、一対の排出ロール５６の接触部６６を通って排出口５８から排出され、原稿排出台４６の上面４６Ａに排出される（置かれる）。
【００５３】
ここで、この排出口５８には、マイラー６２が設けられている。すなわち、マイラー６２の取付部６２Ａが排出口５８の上部側に貼付されており、マイラー６２の押さえ部本体６２Ｂが、鉛直方向に対して約７０度の角度θに配置され、原稿Ｇが無いときには、その下端（自由端）が原稿排出台４６の上面４６Ａに接触している。
【００５４】
したがって、排出口５８から排出される原稿Ｇは、図９で示すように、マイラー６２の押さえ部本体６２Ｂによって、上方から押さえられつつ排出され、原稿排出台４６の上面４６Ａに排出されたときには、その押さえ部本体６２Ｂによって、排出方向上流側端部が上方から押さえられる。
【００５５】
また、この原稿排出台４６の傾斜された上面４６Ａで、かつ原稿排出台４６の長さの１／２〜２／３の範囲内には、接触部６６の高さＨ３と同一の高さＨ１とされた頂部を有する複数のリブ６０が、排出ロール５６の軸方向に予め決められた間隔で並んで突設されている。したがって、図９で示すように、原稿排出台４６の上面４６Ａに排出された原稿Ｇの中間部よりも排出方向下流側（原稿排出台４６の長さの１／２〜２／３の範囲内）が、そのリブ６０によって下方から支持される。
【００５６】
つまり、原稿Ｇは、その排出方向上流側端部が、マイラー６２の押さえ部本体６２Ｂによって、上方から押さえられているため、排出ロール５６の軸方向（排出口５８の長手方向）から見て、その中間部よりも排出方向下流側（原稿排出台４６の長さの１／２〜２／３の範囲内）が、上方へ向かって凸となる湾曲形状で、原稿排出台４６の上面４６Ａに排出されている。よって、原稿排出台４６の上面４６Ａに排出された原稿Ｇの収容性を向上させることが可能となる。
【００５７】
すなわち、原稿排出台４６に排出された原稿Ｇは、排出ロール５６の軸方向から見て、その中間部よりも排出方向下流側（原稿排出台４６の長さの１／２〜２／３の範囲内）が、上方へ向かって凸となる湾曲形状とされることから、原稿Ｇの排出方向から見て、原稿Ｇの幅方向両端部が上方に向かってカールするような変形を矯正することが可能となる。しかも、マイラー６２の長手方向両端部における押さえ部本体６２Ｂは、幅広に形成されているので、その原稿Ｇの幅方向両端部を適切に押さえ込むことが可能になっている。
【００５８】
つまり、本実施形態によれば、リブ６０の頂部が原稿排出台４６の長さの１／２よりも排出方向上流側に突設されている場合に比べ、原稿Ｇの排出方向下流側のカールを矯正することが容易になる。また、リブ６０の頂部が原稿排出台４６の長さの２／３よりも排出方向下流側に突設されている場合に比べ、湾曲位置が原稿Ｇの排出方向上流側に寄ることになるので、原稿Ｇの自重により湾曲形状が形成され易く、原稿Ｇの排出方向下流側のカールを矯正することが容易になる。
【００５９】
したがって、先に排出されている原稿Ｇの幅方向両端部が上方に向かってカールし、後から排出された原稿Ｇの排出方向下流側端部が、そのカールされた幅方向両端部に当たって、先に排出されている原稿Ｇを排出方向外側へ押し出して位置ずれさせたり、その位置ずれが顕著なために原稿排出台４６の上面４６Ａから落下させてしまう（その落下により、排出された原稿Ｇの順番を狂わせてしまう）ような不具合は発生しない。
【００６０】
ここで、マイラー６２を設けなかった場合とマイラー６２の押さえ部本体６２Ｂの角度θをそれぞれ４０度、７０度に変更した場合において、先に排出された原稿Ｇを後から排出された原稿Ｇが実際に押し出した押出量を５回測定したときの結果を表１で示す。この表１から、マイラー６２を設け、かつ、その角度θを７０度としたときが、先に排出された原稿Ｇを後から排出された原稿Ｇが押し出す押出量が５回の平均で最も少ないことが判る。
【００６１】
すなわち、マイラー６２を設けなかった場合には、先に排出された原稿Ｇの排出方向上流側端部（後端）を上方から押さえるものがないので、後から排出された原稿Ｇの排出方向下流側端部（先端）が、先に排出された原稿Ｇの排出方向上流側端部（後端）に当たって、その先に排出された原稿Ｇを押し出してしまう。
【００６２】
また、マイラー６２の押さえ部本体６２Ｂの角度θを４０度（即ち、押さえ部本体６２Ｂの取付位置から押さえ部本体６２Ｂの下端までの原稿Ｇの排出方向の長さ（距離）Ｄ２が、押さえ部本体６２Ｂの取付高さＨ２よりも短くされたマイラー６２）とした場合には、先に排出された原稿Ｇの排出方向上流側端部（後端）を上方から押さえることができる一方、マイラー６２の押さえ部本体６２Ｂの長さＬがマイラー６２の押さえ部本体６２Ｂの角度θを７０度とした場合に比べて短くなることで、そのマイラー６２による押さえ力が強くなる。
【００６３】
したがって、そのマイラー６２の押さえ力によって生じる抵抗により、原稿Ｇの排出方向下流側端部（先端）が、リブ６０を乗り越えて正規の位置まで排出されず、結果的に後から排出された原稿Ｇの排出方向下流側端部（先端）が、先に排出された原稿Ｇの排出方向上流側端部（後端）に当たって押し出してしまうからである。
【００６４】
【表１】
0005585342.tif 000002
【００６５】
また、このように、原稿Ｇの原稿排出台４６からの落下が抑制又は防止されることから、原稿Ｇの落下防止補助機構である延長排出台（図示省略）を、原稿排出台４６にスライド可能に設けることが不要となる。よって、原稿搬送部４０の製造コストの低減が図れる。また、原稿搬送部４０を含む画像形成装置１０全体の設置面積を低減させることも可能となる。
【００６６】
さて、原稿Ｇの読取面に記録された画像情報が原稿読取部１２によって読み取られたら、制御部３０によって、本体部１４が稼働し、記録用紙Ｐに画像が形成される。すなわち、感光体ドラムの表面が帯電ロールによって一様に帯電され、露光装置２０から出力画像に対応した光ビームが、帯電後の感光体ドラムの表面に照射され、静電潜像が形成される。
【００６７】
そして、この静電潜像に対して、現像器がトナーを付与することにより、感光体ドラム上にトナー像が形成され、転写ロールにより、そのトナー像が記録用紙Ｐに転写される。その後、記録用紙Ｐは定着装置２６に送られ、そのトナー像が定着される。そして、トナー像が定着された記録用紙Ｐは、排出口３２からカバー部材２８上へ排出される。
【００６８】
以上、本実施形態に係る原稿搬送装置（原稿搬送部４０）及び画像形成装置１０について、図面に示す実施例を基に説明したが、本実施形態に係る原稿搬送装置及び画像形成装置１０は、図示の実施例に限定されるものではない。例えば、マイラー６２の櫛歯状とされた押さえ部本体６２Ｂは、その長手方向両端部の幅のみを、他の部位の幅よりも広くしたが、押さえ部本体６２Ｂの幅全てを長手方向両端部の幅と同じ幅広に形成してもよい。
【００６９】
また、押さえ部本体６２Ｂの長手方向両端部の幅を、他の部位の幅よりも広くする代わりに、その長手方向両端部の押さえ部本体６２Ｂのみを複数枚（例えば２枚）重ねることにより押さえ力を増やし、これによって、原稿Ｇの幅方向両端部の上方に向かうカールを、その重ねられた押さえ部本体６２Ｂによって適切に押さえる構成としてもよい。また、本実施形態に係る原稿搬送装置は、所謂スキャナーやファクシミリ等にも適用が可能である。
【符号の説明】
【００７０】
１０  画像形成装置
１２  原稿読取部
１８  画像形成部
２０  露光装置
２２  画像形成ユニット
２６  定着装置
３０  制御部
４０  原稿搬送部（原稿搬送装置の一例）
４２  原稿収容台（原稿収容部の一例）
４４  搬送機構
４５  搬送路
４６  原稿排出台（原稿排出部の一例）
５６  排出ロール
５８  排出口
６０  リブ（突起部の一例）
６２  マイラー（押さえ部材の一例）
６２Ａ  取付部（上端の一例）
６２Ｂ  押さえ部本体
６６  接触部
Ｇ 原稿
Ｐ 記録用紙
【図１】
0005585342.tif 000003
【図２】
0005585342.tif 000004
【図３】
0005585342.tif 000005
【図４】
0005585342.tif 000006
【図５】
0005585342.tif 000007
【図６】
0005585342.tif 000008
【図７】
0005585342.tif 000009
【図８】
0005585342.tif 000010
【図９】
0005585342.tif 000011